(57)【要約】【課題】コンピュータの操作が不自由な身体障害者が、特に操作を行うことなく自動的に、なおかつ、コミュニティページへの直接遷移を行わずに、コミュニティサイト上のコミュニティページを閲覧することのできる、身体障害者用のコミュニティサイト閲覧プログラムを提供する。【解決手段】コミュニティサイトＳのページ内のリンクを特定するリンク特定情報６０を記憶するリンク特定情報記憶手段と、所定ページ１８内から、リンク特定情報６０に合致するリンクを検出するリンク検出手段１２ｄと、検出されたリンクのリンク先に遷移するリンク先遷移手段１２ｃと、そのリンク先のコミュニティページが表示されてから所定時間が経過したとき、そのコミュニティページ内の所定ページ１８へのリンクを選択し、またはブラウザ６のリンク元のページに戻るための操作を実行するリンク元復帰手段１２ｅとしてコンピュータ２を機能させる。【選択図】図１
2008165478.tif 000002
【特許請求の範囲】
【請求項１】
複数の利用者がそれぞれコミュニティページを作成可能なコミュニティサイトが設けられたネットワークに接続可能な通信部と、表示部とを備え、通信部を介してコミュニティサイトにアクセスしてコミュニティサイトのページを表示部に表示させることが可能なブラウザがインストールされたコンピュータを、
前記コミュニティサイトのページ内の、コミュニティページへのリンクを特定するリンク特定情報を記憶するリンク特定情報記憶手段と、
前記ブラウザが前記コミュニティサイトの所定ページを前記表示部に表示させた状態で、該ページ内から、前記リンク特定情報記憶手段に記憶された前記リンク特定情報に合致するリンクを検出するリンク検出手段と、
該リンク検出手段により検出されたリンクを、該リンクのリンク先に遷移するよう選択することで、前記ブラウザに、該リンク先のコミュニティページを前記表示部に表示させるリンク先遷移手段と、
前記リンク先のコミュニティページが前記ブラウザにより前記表示部に表示されてから、ユーザーが該コミュニティページを閲覧可能な所定時間が経過したとき、該コミュニティページ内の前記所定ページへのリンクを選択し、または該ブラウザのリンク元のページに戻るための操作を実行することにより、該所定ページを再び表示部に表示させるリンク元復帰手段として機能させるための身体障害者用のコミュニティサイト閲覧プログラム。
【請求項２】
前記リンク先のコミュニティページが前記ブラウザにより前記表示部に表示されてから、ユーザーが該コミュニティページを閲覧可能な所定時間が経過したとき、再度前記リンク検出手段および前記リンク先遷移手段を起動して、該ブラウザに、該コミュニティページ内のリンクのリンク先のコミュニティページを新たに表示部に表示させるリンク進転手段として、前記コンピュータを機能させるための請求項１記載の身体障害者用のコミュニティサイト閲覧プログラム。
【請求項３】
前記リンク特定情報は、リンクに対応する画像情報もしくは文字列情報、または、ページ内のリンクの位置を示す位置情報であることを特徴とする請求項１または２記載の身体障害者用のコミュニティサイト閲覧プログラム。
【請求項４】
前記所定ページ内の、複数のコミュニティページへのリンクのそれぞれに対して、前記リンク先遷移手段および前記リンク元復帰手段を順次実行することで、該複数のコミュニティページをそれぞれ前記表示部に前記所定時間ずつ表示させるコミュニティページ巡回手段として、前記コンピュータを機能させるための請求項１〜３のうちのいずれか一項記載の身体障害者用のコミュニティサイト閲覧プログラム。
【請求項５】
前記所定ページは、ユーザーが前記コミュニティサイト上で登録したお気に入りのコミュニティページへのリンク一覧を表示するページ、ユーザーがコミュニティサイト上で登録した友達のコミュニティページへのリンク一覧を表示するページ、コミュニティサイト上の特定のコミュニティに参加している利用者のコミュニティページへのリンク一覧を表示するページ、または、コミュニティサイト上で検索されたコミュニティページへのリンク一覧を表示するページであり、
前記コミュニティページ巡回手段は、前記リンク一覧に含まれるリンクのそれぞれに対して、前記リンク先遷移手段および前記リンク元復帰手段を順次実行することで、各リンクのリンク先のコミュニティページをそれぞれ前記表示部に前記所定時間ずつ表示させることを特徴とする請求項４記載の身体障害者用のコミュニティサイト閲覧プログラム。
【請求項６】
前記コンピュータの記憶手段に予め記憶された検索キーワードで、前記コミュニティサイト上のコミュニティページを検索し、該検索されたコミュニティページへのリンク一覧を表示するページを、前記所定ページとして前記表示部に表示させる自動検索手段として、前記コンピュータを機能させ、
前記コミュニティページ巡回手段は、前記リンク一覧に含まれるリンクのそれぞれに対して、前記リンク先遷移手段および前記リンク元復帰手段を順次実行することで、各リンクのリンク先のコミュニティページをそれぞれ前記表示部に前記所定時間ずつ表示させることを特徴とする請求項４記載の身体障害者用のコミュニティサイト閲覧プログラム。
【請求項７】
前記コンピュータの記憶手段に予め記憶された複数の定型文情報の中から、前記自動検索手段で検索した検索キーワードに応じて、定型文情報を選択する定型文選択手段と、
該定型文選択手段で選択された前記定型文情報で表された定型文を、前記自動検索手段で検索されたコミュニティページに記載された記事に対するコメント、または該コミュニティページを作成した利用者に対するメッセージとして送信する文章送信手段として、前記コンピュータを機能させるための請求項６記載の身体障害者用のコミュニティサイト閲覧プログラム。
【請求項８】
前記コンピュータの記憶手段に予め記憶された定型文情報で表された定型文を、前記表示部に表示されたコミュニティページに記載された記事に対するコメント、該コミュニティページを作成した利用者に対するメッセージ、またはユーザーが前記コミュニティサイト上で受信したメッセージに対する返信として送信する文章送信手段として、前記コンピュータを機能させるための請求項１〜７記載の身体障害者用のコミュニティサイト閲覧プログラム。
【請求項９】
前記表示部に表示されたコミュニティページの内容、またはユーザーが受信したメッセージに含まれるキーワードに応じて、複数の前記定型文情報の中から定型文情報を選択する定型文選択手段として、前記コンピュータを機能させ、
前記文章送信手段は、前記定型文選択手段で選択された前記定型文情報で表された定型文を送信することを特徴とする請求項８記載の身体障害者用のコミュニティサイト閲覧プログラム。
【請求項１０】
ユーザーが前記コンピュータの入力部に対し所定の入力操作を行った際、前記所定時間の経過に関わらず、該入力操作の時点で前記表示部に表示されていたページを表示し続け、当該表示中に再びユーザーが該入力部に対し所定の入力操作を行った際、前記所定時間経過後に表示すべきだったページを表示部に表示させる遷移一時停止／再開手段として、前記コンピュータを機能させるための請求項１〜９のうちのいずれか一項記載の身体障害者用のコミュニティサイト閲覧プログラム。
【請求項１１】
前記コンピュータの記憶手段に予め記憶された時間情報に該当する時間に、前記コミュニティサイトにログインし、またはコミュニティサイトからログアウトする自動ログイン／ログアウト手段として、前記コンピュータを機能させるための請求項１〜１０のうちのいずれか一項記載の身体障害者用のコミュニティサイト閲覧プログラム。
【請求項１２】
前記表示部に表示させるページの表示サイズが、該表示部の大きさより大きい場合に、該ページをスクロール表示させる自動スクロール手段として、前記コンピュータを機能させるための請求項１〜１１のうちのいずれか一項記載の身体障害者用のコミュニティサイト閲覧プログラム。
【発明の詳細な説明】
【技術分野】
【０００１】
本発明は、身体障害を持つユーザーが、コンピュータを操作することなく、または少ない操作で、コミュニティサイトを閲覧するための身体障害者用のコミュニティサイト閲覧プログラムに関する。
【背景技術】
【０００２】
近年、インターネット上のソーシャルネットワーキングサイト（ＳＮＳ）や掲示板サイト等の、複数の利用者が記事や画像等を投稿したりそれを閲覧したりすることが可能に設けられたコミュニティサイトが、人々に広く利用されている。
これらのコミュニティサイトにおいては、各利用者がそれぞれ、他の複数の利用者が参加（閲覧、投稿等）できるコミュニティを構成するページや、日記を公開するページや、掲示板のスレッド等を作成できるよう構成されている。なお、本願において、このような、利用者がコミュニティサイト上に作成可能なページであって、他の利用者が閲覧や投稿をすることができるページのことを、コミュニティページと呼ぶ。
【０００３】
コミュニティサイトの利用者は、日々更新されるコミュニティページの閲覧を、毎日の日課としていることが多い。例えば、利用者は、コミュニティサイト上で登録した「お気に入り」のコミュニティページや、コミュニティサイト上で登録した「友達」のコミュニティページや、コミュニティサイト上の特定のコミュニティに参加している利用者のコミュニティページ等の日々の更新を、毎日のようにチェックすることが多い。
【０００４】
ここで、例えば手に障害のある、または手のない身体障害者がコミュニティサイトに参加しようとする場合、パソコン操作が自由に行えないために、例えば前記お気に入り等に登録された、複数のコミュニティサイトのそれぞれを巡回して閲覧することは、非常に大きな負担となる。
【０００５】
特に身体障害者用として発明されたものではないが、特許文献１には、複数のＵＲＬのＨＴＭＬファイルを順に表示画面に表示させる情報表示システムが開示されている。特許文献１記載の情報表示システムは、デモモードにおいて、図４に示すようなＵＲＬのリストを読み込み、そのリストのＵＲＬのＨＴＭＬファイルを、順番に、一定時間ずつ、ブラウザコントロールを用いて表示画面に表示しては切り替えることを繰り返すことで、ユーザーが操作を行うことなく、複数のＵＲＬのＨＴＭＬファイルを閲覧することができる。
身体障害者がこの特許文献１記載の情報表示システムを用いれば、特に操作を行うことなく、図４のようなリストに予め登録されたＵＲＬのＨＴＭＬファイルを、自動的に、順に閲覧することができる。
【０００６】
【特許文献１】特開２００１−２４２９８０号公報
【発明の開示】
【発明が解決しようとする課題】
【０００７】
ところで、多くのコミュニティサイトにおいて、不審な利用者を排除するために、利用者のＩＰアドレスや、遷移元ＵＲＬのログを解析している。そして、当該コミュニティサイトのページ内のリンクを経ない、コミュニティサイト上のコミュニティページのＵＲＬへの直接遷移は、コミュニティサイトがアクセスを拒否することがあり、また、直接遷移によるアクセスが多い利用者は、不審な利用者として、コミュニティサイトの運営者から警告を受けたり、コミュニティサイトのＩＤを剥奪されることがある。
これは、例えばスパム書き込み用の所定のアプリケーションプラグラムを用いて、予め登録されたコミュニティページのＵＲＬを順次巡回して、各コミュニティページに広告等の不正なスパム書き込みを行うといった不正行為を防ぐために、コミュニティサイトの運営者が対策として行っているものである。
【０００８】
この点、特許文献１に記載された情報表示システムで、コミュニティサイト上の複数のコミュニティページを順に閲覧すると、コミュニティページのＵＲＬへの直接遷移を行うことになるためにコミュニティサイトにそのアクセスを拒否されたり、また、直接遷移が前記一定時間ごとに繰り返し行われるために、その利用者がコミュニティサイトの運営者から警告を受けたり、コミュニティサイトのＩＤを剥奪されることがあるという課題がある。
【０００９】
本発明は上記課題を解決すべくなされ、その目的とするところは、コンピュータの操作が不自由な身体障害者が、特に操作を行うことなく自動的に、なおかつ、コミュニティページへの直接遷移を行わずに、コミュニティサイト上のコミュニティページを閲覧することのできる、身体障害者用のコミュニティサイト閲覧プログラムを提供することにある。
【課題を解決するための手段】
【００１０】
本発明に係る身体障害者用のコミュニティサイト閲覧プログラムは、上記課題を解決するために、以下の構成を備える。
すなわち、複数の利用者がそれぞれコミュニティページを作成可能なコミュニティサイトが設けられたネットワークに接続可能な通信部と、表示部とを備え、通信部を介してコミュニティサイトにアクセスしてコミュニティサイトのページを表示部に表示させることが可能なブラウザがインストールされたコンピュータを、前記コミュニティサイトのページ内の、コミュニティページへのリンクを特定するリンク特定情報を記憶するリンク特定情報記憶手段と、前記ブラウザが前記コミュニティサイトの所定ページを前記表示部に表示させた状態で、該ページ内から、前記リンク特定情報記憶手段に記憶された前記リンク特定情報に合致するリンクを検出するリンク検出手段と、該リンク検出手段により検出されたリンクを、該リンクのリンク先に遷移するよう選択することで、前記ブラウザに、該リンク先のコミュニティページを前記表示部に表示させるリンク先遷移手段と、前記リンク先のコミュニティページが前記ブラウザにより前記表示部に表示されてから、ユーザーが該コミュニティページを閲覧可能な所定時間が経過したとき、該コミュニティページ内の前記所定ページへのリンクを選択し、または該ブラウザのリンク元のページに戻るための操作を実行することにより、該所定ページを再び表示部に表示させるリンク元復帰手段として機能させる。
これによれば、コミュニティサイトの前記所定ページ内のリンクを通じて、リンク先のコミュニティページに自動的に遷移し、また、この遷移先のコミュニティページ内のリンクを通じて、またはブラウザのリンク元のページに戻るための操作を実行することで、前記所定ページ（リンク元のページ）に自動的に復帰する。したがって、身体障害者が特に操作を行うことなく自動的に、なおかつ、コミュニティページへの直接遷移を行わずに、コミュニティサイト上のコミュニティページを閲覧することができる。
【００１１】
さらに、前記リンク先のコミュニティページが前記ブラウザにより前記表示部に表示されてから、ユーザーが該コミュニティページを閲覧可能な所定時間が経過したとき、再度前記リンク検出手段および前記リンク先遷移手段を起動して、該ブラウザに、該コミュニティページ内のリンクのリンク先のコミュニティページを新たに表示部に表示させるリンク進転手段として、前記コンピュータを機能させる。
これによれば、前記リンク先のコミュニティページから、さらに下階層のページへリンクをたどって閲覧することができる。
【００１２】
また、前記リンク特定情報は、リンクに対応する画像情報もしくは文字列情報、または、ページ内のリンクの位置を示す位置情報であることを特徴とする。
これによれば、リンク特定情報を簡単に登録することができる。
【００１３】
また、前記所定ページ内の、複数のコミュニティページへのリンクのそれぞれに対して、前記リンク先遷移手段および前記リンク元復帰手段を順次実行することで、該複数のコミュニティページをそれぞれ前記表示部に前記所定時間ずつ表示させるコミュニティページ巡回手段として、前記コンピュータを機能させる。
これによれば、複数のコミュニティページを自動的に巡回できる。
【００１４】
さらに、前記所定ページは、ユーザーが前記コミュニティサイト上で登録したお気に入りのコミュニティページへのリンク一覧を表示するページ、ユーザーがコミュニティサイト上で登録した友達のコミュニティページへのリンク一覧を表示するページ、コミュニティサイト上の特定のコミュニティに参加している利用者のコミュニティページへのリンク一覧を表示するページ、または、コミュニティサイト上で検索されたコミュニティページへのリンク一覧を表示するページであり、前記コミュニティページ巡回手段は、前記リンク一覧に含まれるリンクのそれぞれに対して、前記リンク先遷移手段および前記リンク元復帰手段を順次実行することで、各リンクのリンク先のコミュニティページをそれぞれ前記表示部に前記所定時間ずつ表示させることを特徴とする。
これによれば、前記お気に入りのコミュニティページ、前記友達のコミュニティページ、前記特定のコミュニティに参加している利用者のコミュニティページ、または前記検索されたコミュニティページを、自動的に巡回できる。
【００１５】
また、前記コンピュータの記憶手段に予め記憶された検索キーワードで、前記コミュニティサイト上のコミュニティページを検索し、該検索されたコミュニティページへのリンク一覧を表示するページを、前記所定ページとして前記表示部に表示させる自動検索手段として、前記コンピュータを機能させ、前記コミュニティページ巡回手段は、前記リンク一覧に含まれるリンクのそれぞれに対して、前記リンク先遷移手段および前記リンク元復帰手段を順次実行することで、各リンクのリンク先のコミュニティページをそれぞれ前記表示部に前記所定時間ずつ表示させることを特徴とする。
これによれば、自動的にコミュニティページの検索を行えるとともに、検索されたコミュニティページを自動的に巡回できる。
【００１６】
さらに、前記コンピュータの記憶手段に予め記憶された複数の定型文情報の中から、前記自動検索手段で検索した検索キーワードに応じて、定型文情報を選択する定型文選択手段と、該定型文選択手段で選択された前記定型文情報で表された定型文を、前記自動検索手段で検索されたコミュニティページに記載された記事に対するコメント、または該コミュニティページを作成した利用者に対するメッセージとして送信する文章送信手段として、前記コンピュータを機能させる。
これによれば、検索されたコミュニティページの記事に対するコメント、またはそのコミュニティページを作成した利用者に対するメッセージを、検索キーワードに応じて複数の定型文から自動的に選択して送信することができる。
【００１７】
また、前記コンピュータの記憶手段に予め記憶された定型文情報で表された定型文を、前記表示部に表示されたコミュニティページに記載された記事に対するコメント、該コミュニティページを作成した利用者に対するメッセージ、またはユーザーが前記コミュニティサイト上で受信したメッセージに対する返信として送信する文章送信手段として、前記コンピュータを機能させる。
これによれば、コミュニティページに記載された記事に対するコメント、コミュニティページを作成した利用者に対するメッセージ、またはユーザーがコミュニティサイト上で受信したメッセージに対する返信を、送信することができる。
【００１８】
さらに、前記表示部に表示されたコミュニティページの内容、またはユーザーが受信したメッセージに含まれるキーワードに応じて、複数の前記定型文情報の中から定型文情報を選択する定型文選択手段として、前記コンピュータを機能させ、前記文章送信手段は、前記定型文選択手段で選択された前記定型文情報で表された定型文を送信することを特徴とする。
これによれば、前記送信する文章を、コミュニティページの内容、またはユーザーが受信したメッセージに含まれるキーワードに応じて、複数の定型文から自動的に選択して送信することができる。
【００１９】
また、ユーザーが前記コンピュータの入力部に対し所定の入力操作を行った際、前記所定時間の経過に関わらず、該入力操作の時点で前記表示部に表示されていたページを表示し続け、当該表示中に再びユーザーが該入力部に対し所定の入力操作を行った際、前記所定時間経過後に表示すべきだったページを表示部に表示させる遷移一時停止／再開手段として、前記コンピュータを機能させる。
これによれば、簡単な操作で、コミュニティページを表示させる時間を、ユーザーの要望に応じて調節することができる。
【００２０】
また、前記コンピュータの記憶手段に予め記憶された時間情報に該当する時間に、前記コミュニティサイトにログインし、またはコミュニティサイトからログアウトする自動ログイン／ログアウト手段として、前記コンピュータを機能させる。
これによれば、一日の中の決まった時間に、自動的にコミュニティサイトにログインし、またはコミュニティサイトからログインして、コミュニティティサイトを閲覧したり閲覧を終了したりできる。
【００２１】
また、前記表示部に表示させるページの表示サイズが、該表示部の大きさより大きい場合に、該ページをスクロール表示させる自動スクロール手段として、前記コンピュータを機能させる。
これによれば、ユーザーは、何らの操作もすることなく、自動的にコミュニティページの全体を閲覧することができる。
【発明の効果】
【００２２】
本発明に係る身体障害者用のコミュニティサイト閲覧プログラムによれば、コンピュータの操作が不自由な身体障害者が、特に操作を行うことなく自動的に、なおかつ、コミュニティページへの直接遷移を行わずに、コミュニティサイト上のコミュニティページを閲覧することができる。
【発明を実施するための最良の形態】
【００２３】
以下、本発明に係る身体障害者用のコミュニティサイト閲覧プログラムを実施するための最良の形態を、添付図面に基づいて詳細に説明する。
【００２４】
図１は、本実施の形態に係る身体障害者用のコミュニティサイト閲覧プログラムを用いた、身体障害者用のコミュニティサイト閲覧システムの構成を示すブロック図である。
本身体障害者用のコミュニティサイト閲覧システムは、コンピュータ２から構成される。
【００２５】
コンピュータ２は、ＡＤＳＬモデムやＦＴＴＨモデム等のモデムＭを介してネットワークとしてのインターネットＮに接続される。インターネットＮ上には、他のコンピュータからインターネットＮを介して、複数の利用者がそれぞれコミュニティページを作成可能なコミュニティサイトが設けられている。
なお、コミュニティページの定義については、背景技術で説明したとおりである。
【００２６】
コミュニティサイトは、各利用者が当該コミュニティサイト上の任意のコミュニティページを「お気に入り」として登録し、必要に応じてその登録されたコミュニティページへのリンク一覧を表示させるお気に入り登録機能や、当該コミュニティサイトの他の利用者のＩＤ等を「友達」として登録し、必要に応じてその登録された利用者が作成した個人ページやコミュニティ等のコミュニティページへのリンク一覧等を表示させる友達登録機能や、コミュニティサイト上の特定のコミュニティに参加している利用者、およびその各利用者が作成した個人ページやコミュニティ等のコミュニティページへのリンク一覧を表示させるコミュニティ参加者参照機能や、利用者が入力した任意の検索キーワードで当該コミュニティサイト上のコミュニティページを検索して、検索されたコミュニティページへのリンク一覧を表示する検索機能等を有する。
【００２７】
身体障害者用のコミュニティサイト閲覧システムを構成するコンピュータ２は、ＣＰＵ、およびメモリやハードディスク等の記憶手段等から成り、ソフトウェアプログラムを実行して様々な手段を実現可能な制御部２ａと、モデムＭおよびインターネットＮを介して他のコンピュータ等と通信するためのネットワークカード等の通信部２ｂと、例えばパッド状のボタンから成り、身体障害者であっても容易に押下操作可能に設けられた、入力部としての入力パッド２ｃと、マウス２ｄと、ディスプレイ等の、ユーザーに対して情報を表示出力可能な表示部２ｅとを備える。
【００２８】
また、コンピュータ２の制御部２ａは、通信部２ｂ、入力パッド２ｃ、マウス２ｄ、および表示部２ｅをそれぞれ制御するための、通信制御部４ｂ、入力パッド制御部４ｃ、マウス制御部４ｄ、および表示制御部４ｅを有する。通信制御部４ｂ、入力パッド制御部４ｃ、マウス制御部４ｄ、および表示制御部４ｅはそれぞれ、いわゆるドライバプログラムが制御部２ａのＣＰＵで実行されて実現される手段であり、通信部２ｂ、入力パッド２ｃ、マウス２ｄ、および表示部２ｅの各ハードウェア資源を制御して、当該各ハードウェア資源と制御部２ａとの間で情報（通信情報や操作を表す情報等）を授受するための処理を行う。
【００２９】
表示制御部４ｅは、制御部２ａのメモリ上の所定領域に設けられた、画像を表現する表示データ５０に基づいて、表示部２ｅに画像を表示させる制御を行う。
【００３０】
また、コンピュータ２の制御部２ａには、ブラウザ６がインストールされている。ブラウザ６は、通信部２ｂを介してインターネットＮ上のＷｅｂサイトにアクセスして、Ｗｅｂサイトのページを表示部２ｅに表示させることができる。表示部２ｅへのページの表示は、表示制御部４ｅが参照するメモリの前記所定領域の表示データ５０を書き換える処理を行うことで実現する。
【００３１】
また、制御部２ａは、所定の時間の計測を行ってイベントを生じさせるタイマ８や、所定の時刻にイベントを発生させる時計機能１０を有する。タイマ８は、例えばＣＰＵのタイマ機能で実現される。時計機能１０は、例えばリアルタイムクロックＩＣ（ＲＴＣ）により実現される。
【００３２】
また、制御部２ａの前記記憶手段には、表示データ５０、ログイン／ログアウト時刻情報５２、ＵＲＬ情報５３、ＩＤ情報５４、検索キーワード５６、定型文情報５８、およびリンク特定情報６０といった情報が記憶されている。これらの情報の用法や内容については後述する。
【００３３】
制御部２ａは、インストールされた身体障害者用のコミュニティサイト閲覧プログラム１２を実行することで、後述する、自動ログイン／ログアウト手段１２ａ、コミュニティページ巡回手段１２ｂ、リンク先遷移手段１２ｃ、リンク検出手段１２ｄ、リンク元復帰手段１２ｅ、リンク進転手段１２ｆ、遷移一時停止／再開手段１２ｇ、自動スクロール手段１２ｈ、文章取得手段１２ｉ、定型文選択手段１２ｊ、文章送信手段１２ｋ、および自動検索手段１２ｌの各手段を実現する。
【００３４】
続いて、身体障害者用のコミュニティサイト閲覧プログラム１２が制御部２ａで実行されることにより実現される前記各手段の処理について、プログラム実行の流れの一例に沿って説明する。
【００３５】
身体障害者用のコミュニティサイト閲覧プログラム１２がコンピュータ２の制御部２ａ上で起動されると、身体障害者用のコミュニティサイト閲覧プログラム１２は、まずブラウザ６を起動させるとともに、自動ログイン／ログアウト手段１２ａを実行する。
【００３６】
（自動ログイン／ログアウト手段１２ａ）
自動ログイン／ログアウト手段１２ａは、コンピュータ２の記憶手段に予め記憶された時間情報としてのログイン／ログアウト時刻情報５２で設定されたログイン時刻に該当する時間にコミュニティサイトＳに自動的にログインし、また、ログイン／ログアウト時刻情報５２で設定されたログアウト時刻に該当する時間にコミュニティサイトＳから自動的にログアウトする処理を行う。
【００３７】
ログイン／ログアウト時刻情報５２は、ユーザーにより予め設定されて記憶手段に記憶される。この設定は、所定の環境設定ダイアログ等を介してユーザーが行えるよう構成してもよいし、ハードディスク上の所定ディレクトリ内の所定ファイル名の設定ファイル（テキストファイル）内に、テキスト形式で、ログイン時刻とログアウト時刻とを含むログイン／ログアウト時刻情報５２を記載して記憶しておく構成としてもよい。
また、コミュニティサイトＳのログインページのＵＲＬを示すＵＲＬ情報５３、および、ログインに用いるコミュニティサイトＳのユーザーＩＤやパスワードといったＩＤ情報５４も、同様に予めユーザーに予め設定させる。
なお、ユーザーによるこの初期設定の操作は、直接のユーザーである身体障害者に代わって、健常者のユーザーがコンピュータ２のキーボードやマウス等を操作して予め行っておくように運用すると良い。
【００３８】
自動ログイン／ログアウト手段１２ａは、まず時計機能１０に、ログイン／ログアウト時刻情報５２で表されるログイン時刻およびログアウト時刻にイベント（例えば割り込み等）を発生させるよう設定を行う。そして、設定されたログイン時刻が来て時計機能１０がイベントを発生させると、このイベントにより自動ログイン／ログアウト手段１２ａが起動される。自動ログイン／ログアウト手段１２ａは、ブラウザ６にＵＲＬ情報５３を転送して、ブラウザ６の表示ページをコミュニティサイトＳのログインページのＵＲＬに遷移させる。続いて、自動ログイン／ログアウト手段１２ａは、ブラウザ６に、ＩＤ情報５４のユーザーＩＤおよびパスワードに対応するキー入力情報を転送することで、ユーザーがこのログインページ内でログイン操作を行ったのと同じ状態として、コミュニティサイトＳにログインする処理を行う。
【００３９】
また、自動ログイン／ログアウト手段１２ａは、時計機能１０からログアウト時刻となったことを示すイベントを受けると、マウス制御部４ｄにマウスポインタを移動させる命令を出して、マウスポインタをコミュニティサイトＳ内の各ページの所定位置にある「ログアウト」のリンクの箇所へ移動させるとともに、その「ログアウト」のリンクをクリックする命令を出して、コミュニティサイトＳからログアウトする処理を行う。
【００４０】
なお、自動ログイン／ログアウト手段１２ａによるログイン手法は、上記形態に限定されるものではない。例えば、ＵＲＬ情報５３にＩＤ情報５４を付加してログイン（またはログアウト）を行えるコミュニティサイトＳでは、ブラウザ６を介して、ＩＤ情報５４を付加したＵＲＬ情報５３をコミュニティサイトＳに送信してログインを行うよう構成してもよい。
また、時計機能１０がイベントを発生させる構成を採らなくても良く、例えば自動ログイン／ログアウト手段１２ａが、一定時間（例えば１分）ごとに時計機能１０から時刻情報を取得するようポーリング処理を行い、その時刻情報が設定されたログイン時刻またはログアウト時刻と一致した際に、上述のログイン処理またはログアウト処理を実行するよう構成してもよい。
【００４１】
（リンク先遷移手段１２ｃ、リンク検出手段１２ｄ）
リンク先遷移手段１２ｃは、リンク検出手段１２ｄにより検出されたリンクを、そのリンクのリンク先に遷移するよう選択することで、ブラウザ６に、そのリンク先のページを表示部２ｅに表示させる処理を行う。
【００４２】
処理の流れに沿って説明すると、身体障害者用のコミュニティサイト閲覧プログラムを実行する制御部２ａは、自動ログイン／ログアウト手段１２ａによる前述のログイン処理が終了すると、続いてリンク先遷移手段１２ｃを起動する。
リンク先遷移手段１２ｃは、ブラウザ６により表示部２ｅに表示させるページを、前記トップページから、予めユーザーにより設定された所定のページに遷移させる。この予めユーザーにより設定された所定のページとは、例えば、ユーザーがコミュニティサイトＳ上で登録した前記お気に入りのコミュニティページへのリンク一覧を表示するページでもよいし、ユーザーがコミュニティサイトＳ上で登録した前記友達のコミュニティページへのリンク一覧を表示するページでもよいし、コミュニティサイトＳ上の特定のコミュニティに参加している利用者のコミュニティページへのリンク一覧を表示するページでもよいし、または、コミュニティサイトＳ上で検索されたコミュニティページへのリンク一覧を表示するページであってもよい。この所定ページをどのページにするかは、前述のログイン／ログアウト時刻情報５２等と同様、環境設定ダイアログや設定ファイル等を用いて予め設定できる。ただし、これらの中で、「コミュニティサイトＳ上で検索されたコミュニティページへのリンク一覧を表示するページ」を表示させる場合には、それに先立ってコミュニティページの検索を行う必要があるが、それについては自動検索手段１２ｌと併せて後述する。
【００４３】
図２は、コミュニティサイトＳのトップページ１３を示す図である。トップページ内には、「前記お気に入りのコミュニティページへのリンク一覧を表示するページ」（以下、「お気に入り一覧ページ」と呼ぶ）へのリンク１４（"My Favorites"）、および、「前記友達のコミュニティページへのリンク一覧を表示するページ」へのリンク１６（"My Friends"）がある。
リンク先遷移手段１２ｃは、ブラウザ６が表示部２ｅに表示させているトップページ１３内のリンク１４または１６（どのリンクかは前述の通り予めの設定による）を、リンク検出手段１２ｄで検出して表示部２ｅ上（表示データ５０）上のリンクの位置を特定し、そのリンクを「擬似的」にマウスでクリックする（そのリンクのリンク先に遷移するよう選択する）ことにより、そのリンク先への遷移を行う。そのリンクへのマウスポインタの移動およびそのクリックの処理については、前述の自動ログイン／ログアウト手段１２ａにおけるログアウト時の処理と同様であるため説明を省略する。
【００４４】
リンク検出手段１２ｄは、ブラウザ６がコミュニティサイトＳの所定ページ（当所の時点では、ログイン直後のトップページ）を表示部２ｅに表示させた状態で、その所定ページ内から、記憶手段（リンク特定情報記憶手段）に記憶されたリンク特定情報６０に合致するリンクを検出する処理を行う。
【００４５】
リンク特定情報６０とは、リンクに対応する画像情報もしくは文字列情報、または、ページ内のリンクの位置を示す位置情報である。
本実施の形態においては、リンクが張られた画像情報を採用する。図２の例では、例えば前記設定においてまずお気に入り（"My Favorites"）のページに遷移するよう、予め設定されている場合には、リンク検出手段１２ｄは、その設定に関連付けられて記憶された、リンク１４の"My Favorites"の画像情報を読み出す。そして、ブラウザ６が作成して表示中のトップページ１３の表示データ５０内を検索して、そのリンク１４の画像情報と一致する部分を検出し、その検出したリンク１４の画面上の位置を表す情報を、リンク先遷移手段１２ｃに渡す。
【００４６】
なお、リンク特定情報６０は、画像情報に限定されるものではなく、リンクが張られた文字列に対応する文字列情報や、リンクの位置（表示部２ｅまたは表示データ５０上の位置）を表す位置情報としても良い。
リンク特定情報６０を文字列情報とした場合には、リンク検出手段１２ｄは、表示データ５０を検索するのではなく、ブラウザ６により表示されているページのマークアップ言語形式のソース中を、その文字列情報で文字列検索することでリンクを特定し、マウスを擬似的に操作するのに替えて、例えばそのリンク上でキーボードのエンターキーを押したかのように、キーボード制御部（ドライバ）を制御することで、そのリンクのリンク先に遷移するよう選択する処理を行うよう構成してもよい。
また、リンク特定情報６０を、表示部２ｅ上（表示データ５０上）の位置を表す位置情報とした場合には、例えば、マウスポインタを直接その位置情報が表す位置に移動させるよう、マウス制御部４ｄを制御するように構成する。
【００４７】
リンク特定情報６０は、コミュニティサイトＳのリンクの形態に合わせて、予め記憶手段（リンク特定情報記憶手段）に登録しておく。この登録は、直接のユーザーである身体障害者に代わって、健常者のユーザーが予め行っておくように運用すると良い。
【００４８】
リンク先遷移手段１２ｃは、前述の通り、マウス制御部４ｄを制御して、その位置情報で表された位置にマウスポインタを移動してクリックする（そのリンクのリンク先に遷移するよう選択する）処理を行うことで、ブラウザ６に、そのリンク先の「お気に入り一覧ページ」を表示部２ｅに表示させる。
【００４９】
なお、前述の自動ログイン／ログアウト手段１２ａにおいては説明を省略したが、表示部２ｅに表示されたページ（表示データ５０）内から前記「ログアウト」のリンクを検出するのも、リンク検出手段１２ｄの機能を用いる。
【００５０】
リンク先遷移手段１２ｃおよびリンク検出手段１２ｄによる上記処理で、トップページ１３内のリンク１４が選択されると、ブラウザ６の表示ページは、リンク１４のリンク先のページである、図３に示す「お気に入り一覧ページ」１８に遷移する。
「お気に入り一覧ページ」１８には、コミュニティサイトＳの前記お気に入り登録機能により登録された、複数のコミュニティページへのリンク２１ａ，２２ａ・・，２１ｂ，２２ｂ・・が含まれている。図３の例においては、コミュニティページに関連付けられた画像にリンク２１ａ，２２ａ・・が張られ、また、各コミュニティページを表す項目のそれぞれに設けられた「詳細を見る」ボタンも、対応するコミュニティページへのリンク２１ｂ，２２ｂ・・に設定されているものとする。なお、例えばリンク２１ａとリンク２１ｂとが同じリンク先に設定され、リンク２２ａとリンク２２ｂとが同じリンク先に設定されている。
【００５１】
（コミュニティページ巡回手段１２ｂ）
ブラウザ６の表示ページが「お気に入り一覧ページ」１８に遷移すると、コミュニティページ巡回手段１２ｂが起動される。
コミュニティページ巡回手段１２ｂは、「お気に入り一覧ページ」１８内の、複数のコミュニティページへのリンク２１ａ，２２ａ，・・またはリンク２１ｂ，２２ｂ・・のそれぞれに対して、リンク先遷移手段１２ｃおよび後述するリンク元復帰手段１２ｅを順次実行することで、これらの複数のコミュニティページをそれぞれ表示部２ｅに所定時間ずつ表示させる処理を行う。
【００５２】
「お気に入り一覧ページ」１８においても、リンク先遷移手段１２ｃが表示ページを各リンクのリンク先に遷移させる際には、前述のリンク検出手段１２ｄにより、各画像に張られた各リンク２１ａ，２２ａ・・か、「詳細を見る」ボタンに張られた各リンク２１ｂ，２２ｂ・・を検出する。このためには、前述のように、「詳細を見る」ボタンの画像情報に対応するリンク特定情報６０を記憶しておき、表示データ５０内から「詳細を見る」ボタンの画像情報と一致する部分を検索するよう構成すればよい。
【００５３】
あるいは、表示部２ｅ上（表示データ５０上）で、各コミュニティページのリンク２１ａ，２２ａ・・，または２１ｂ，２２ｂ・・が、全て互いに一定間隔に配列されて表示されていることを利用し、リンク２１ａ，２２ａ・・，または２１ｂ，２２ｂ・・の位置情報を用いてリンクを特定しても良い。
すなわち、図３の「お気に入り一覧ページ」１８において、画像に張られたリンク２１ａ，２２ａ，・・が、横に並べられた各リンク２１ａと２２ａ，２３ａと２４ａ・・の各間隔が３００ピクセルの一定間隔に配置され、縦に並べられた各リンクの間隔が１２０ピクセルの一定間隔に配置されているものとする。この場合、リンク特定情報６０として、基点となるリンク２１ａの位置情報と、各リンク間の横および縦方向の間隔を表す情報（３００ピクセル、および１２０ピクセル）とを記憶しておく。そして、リンク検出手段１２ｄは、その位置情報と間隔を表す情報とに基づいて、各リンク２１ａ，２２ａ・・の位置を順次特定して、それをリンク先遷移手段１２ｃに渡す。なお、コミュニティページ巡回手段１２ｂは、リンクの個数を「お気に入り一覧ページ」１８に記載された「件数」を認識することなどによって特定でき、リンク先への遷移（巡回）の回数を制御できる。
【００５４】
（リンク元復帰手段１２ｅ）
図３に示す「お気に入り一覧ページ」１８において、コミュニティページ巡回手段１２ｂにより起動されたリンク先遷移手段１２ｃが、リンク２１ａ，２２ａ・・，および２１ｂ，２２ｂ・・のうちのいずれかを選択してそのリンク先のコミュニティページに移動すると、次にはリンク元復帰手段１２ｅが起動される。
【００５５】
リンク元復帰手段１２ｅは、リンク先遷移手段１２ｃの処理の結果前記リンク先のコミュニティページがブラウザ６により表示部２ｅに表示されてから、ユーザーがそのコミュニティページを閲覧可能な所定時間が経過したとき、そのコミュニティページ内の、「お気に入り一覧ページ」１８（リンク元のページ）へのリンクを選択し、またはブラウザ６のリンク元のページに戻るための操作（ブラウザ６の「戻る」ボタンをクリックする等）を実行することにより、「お気に入り一覧ページ」１８を再び表示部に表示させる処理を行う。
【００５６】
リンク元復帰手段１２ｅは、前記リンク先のコミュニティページがブラウザ６により表示部２ｅに表示されると起動される。リンク元復帰手段１２ｅは、起動されると、まずタイマ８に対して、前記所定時間が経過したときにタイムアウトイベントを発生させるよう設定を行う。そして、リンク元復帰手段１２ｅは、そのタイムアウトイベントの発生を待つ待機状態に遷移する。
前記所定時間は、ユーザーがコミュニティページを閲覧可能な時間であり、例えば、１０秒〜１分程度の一定時間としてもよいし、または、コミュニティページの大きさやコミュニティページに含まれる文章量をブラウザ６から取得するなどして、その大きさや文章量等に応じて可変に構成してもよい。
【００５７】
前記所定時間が経過してタイマ８がタイムアウトしてタイムアウトイベントが発生すると、リンク元復帰手段１２ｅが起動される。リンク元復帰手段１２ｅは、リンク検出手段１２ｄを利用して、表示中のコミュニティページの表示データ５０内から、「お気に入り一覧ページ」１８（リンク元のページ）へのリンク、またはブラウザ６のリンク元のページに戻るため「戻る」ボタンの位置を検索する。そして、その検索したリンク、または「戻る」ボタンを選択（マウスによる擬似的なクリック）することにより、ブラウザ６に、「お気に入り一覧ページ」１８を再び表示部に表示させる処理を行う。
【００５８】
上記処理により、「お気に入り一覧ページ」１８が表示されると、コミュニティページ巡回手段１２ｂは、リンク先遷移手段１２ｃを再び起動させ、「お気に入り一覧ページ」１８内の、次のリンクを選択する処理を行う。
このように、コミュニティページ巡回手段１２ｂがリンク先遷移手段１２ｃおよびリンク元復帰手段１２ｅを順次実行することで、「お気に入り一覧ページ」１８内のリンク２１ａ，２２ａ，・・またはリンク２１ｂ，２２ｂ・・のリンク先の各コミュニティページが、表示部２ｅに所定時間ずつ表示される。
【００５９】
なお、コミュニティページ巡回手段１２ｂは、「お気に入り一覧ページ」１８等の、リンク一覧を含む所定ページ内の、必ずしも全てのリンクを選択させるよう構成する必要はない。例えばリンク一覧として並べられたリンクを数個おきに選択（遷移）するよう構成してもよいし、リンク一覧の中からリンクをランダムに選択（遷移）するよう構成してもよい。
【００６０】
コミュニティページ巡回手段１２ｂが「お気に入り一覧ページ」１８内のリンクの選択を終了すると、身体障害者用のコミュニティサイト閲覧プログラムは、"My Favorites"のリンク１４を選択したときと同様の処理をコンピュータ２に実行させ、ブラウザ６に表示部２ｅに表示させるページを、予めユーザーにより設定された次の所定ページ（例えば"My Friends"のリンク１６のリンク先の、「友達のコミュニティページへのリンク一覧を表示するページ」等）へ遷移させる。そして、このページに対しても前記コミュニティページ巡回手段１２ｂによる処理を行い、そのページ内のリンク一覧の各リンクのリンク先を、順次表示部２ｅに表示させる。
【００６１】
（リンク進転手段１２ｆ）
さて、「お気に入り一覧ページ」１８（またはリンク一覧を含む他の所定ページ）内のリンクから遷移したコミュニティページ内で、さらにその中のリンクをクリックして、さらに下階層のページを参照したい場合がある（例えばコミュニティページ内の記事を参照したい場合など）。そのような場合に、予めの設定にしたがって、遷移したコミュニティページ内からさらにその先のリンクに遷移させるための機能が、リンク進転手段１２ｆである。
【００６２】
リンク進転手段１２ｆは、前記リンク先のコミュニティページがブラウザ６により表示部２ｅに表示されてから、ユーザーがそのコミュニティページを閲覧可能な所定時間が経過したとき、再度リンク検出手段１２ｄおよびリンク先遷移手段１２ｃを起動して、ブラウザ６に、コミュニティページ内のリンクのリンク先のコミュニティページを新たに表示部２ｅに表示させる処理を行う。
【００６３】
なお、所定時間を計時するための処理は、リンク元復帰手段１２ｅのタイマ８を用いた処理と同様であり、また、リンク検出手段１２ｄおよびリンク先遷移手段１２ｃによる遷移は、トップページ１３から「お気に入り一覧ページ」１８等に遷移する際の処理と同様である。また、コミュニティページ内のどのリンクを選択するかも、同様に、環境設定ダイアログや設定ファイル等を用いた、予めの設定による。
【００６４】
このように、本身体障害者用のコミュニティサイト閲覧システムは、健常者等のユーザーによる予めの設定にしたがって、コミュニティサイトＳ内の様々なコミュニティページを、表示部２ｅに順次所定時間ずつ表示させる。したがって、身体障害者のユーザーは、何の操作を行う必要もなく、コミュニティサイトＳの日々の更新をチェックすることができる。
【００６５】
続いて、本身体障害者用のコミュニティサイト閲覧システムによるコミュニティサイトＳの参照を、さらに便利にするための諸機能（諸手段）について説明する。
【００６６】
（遷移一時停止／再開手段１２ｇ）
遷移一時停止／再開手段１２ｇは、ユーザーが入力パッド２ｃを押下した際、前記所定時間の経過に関わらず、その入力操作（押下）の時点で表示部２ｅに表示されていたページを表示し続け、その表示中に再びユーザーが入力パッド２ｃを押下した際、前記所定時間経過後に表示すべきだったページを表示部２ｅに表示させる処理を行う。
【００６７】
具体的には、ユーザーが入力パッド２ｃを押下すると、遷移一時停止／再開手段１２ｇが起動され、遷移一時停止／再開手段１２ｇは、リンク元復帰手段１２ｅおよびリンク進転手段１２ｆに対し、遷移停止命令を送信する。
リンク元復帰手段１２ｅおよびリンク進転手段１２ｆは、その遷移停止命令を受けた際に、前記所定時間の経過待ちの状態であった場合には、記憶手段の所定のフラグを立てる。そして、タイマ８のタイムアウトにより起動された際にはそのフラグを参照し、フラグが立っているときには、タイムアウト時の処理（リンク元への復帰や、新たなリンク先への進転をする処理）を行わないことで、その時点で表示部２ｅに表示しているページを表示させ続けるようにする。
【００６８】
また、ユーザーが再度入力パッド２ｃを押下した際には、遷移一時停止／再開手段１２ｇは、リンク元復帰手段１２ｅおよびリンク進転手段１２ｆに対し、遷移再開命令を送信する。
リンク元復帰手段１２ｅおよびリンク進転手段１２ｆは、その遷移停止命令を受けると、前記フラグをクリアするとともに、前記所定時間経過後に表示すべきだったページを表示部に表示させるべく、リンク元への復帰や、新たなリンク先への進転をする処理（タイマ８のタイムアウト時に行うべき処理）を実行する。
【００６９】
遷移一時停止／再開手段１２ｇによれば、簡単な操作で、コミュニティページを表示させる時間を、ユーザーの要望に応じて調節することができる。
なお、入力パッド２ｃは、手の不自由な身体障害者でも、足やその他の部位を用いて簡単に押下できるよう、例えば直径が１０ｃｍ程度の押下ボタンのようなものに構成するとよい。
【００７０】
（自動スクロール手段１２ｈ）
自動スクロール手段１２ｈは、表示部２ｅに表示させるページの表示サイズが、表示部２ｅの大きさより大きい場合に、ブラウザ６に、表示画面をスクロールさせる命令を送信して、そのページをスクロール表示させる制御を行う。
これによれば、ユーザーは、何らの操作もすることなく、自動的にコミュニティページの全体を閲覧することができる。
【００７１】
（文章送信手段１２ｋ）
文章送信手段１２ｋは、記憶手段に予め記憶された定型文情報５８で表された定型文を、表示部２ｅに表示されたコミュニティページに記載された記事に対するコメント、コミュニティページを作成した利用者に対するメッセージ、またはユーザーがコミュニティサイトＳ上で受信したメッセージに対する返信として送信する処理を行う。
【００７２】
より具体的には、コミュニティページを表示した際、そのコミュニティページに含まれるリンクを、リンク進転手段１２ｆ（リンク進転手段１２ｆにより起動されるリンク検出手段１２ｄおよびリンク先遷移手段１２ｃを含む）によって選択して、前記コメント、前記メッセージ、または前記返信を送信するための送信ページに遷移する（前記予めの設定により、その送信ページに遷移するよう設定しておく）。
そして、文章送信手段１２ｋは、ブラウザ６により表示された送信内容を記載するテキストボックス内に、定型文情報５８に記憶された定型文の内容を貼り付け、再びリンク進転手段１２ｆを用いて、送信ページ内の送信ボタンを押下する処理等を行わせる。
これにより、自動的に、前記コメント、前記メッセージ、または前記返信を行うことができる。
【００７３】
定型文情報５８の定型文の内容としては、特に限定されるものではないが、例えば、自己紹介文や、「友達になって下さい」といった内容等が考えられる。
【００７４】
文章送信手段１２ｋを使用する際には、後述する文章取得手段１２ｉ、および定型文選択手段１２ｊを用いればさらに好適である。
【００７５】
（文章取得手段１２ｉ、定型文選択手段１２ｊ）
文章取得手段１２ｉは、表示部２ｅに表示されたコミュニティページの内容や、ユーザーが受信したメッセージを、ブラウザ６から取得する処理を行う。
具体的には、文章取得手段１２ｉは、ブラウザ６により表示されているページのマークアップ言語形式のソースを取得し、その中から、文字列情報を抽出する。これにより、コミュニティページの内容や、表示されているメッセージを表す文章の情報（文字列情報）を取得できる。
文章取得手段１２ｉは、文章の情報の中から、特定のキーワードを検索する。キーワードとしては、例えば、「はじめまして」、「楽しい（楽しかった）」といったものが挙げられる。これらのキーワードは、予め健常者のユーザー等が設定しておくよう運用するとよい。
【００７６】
定型文選択手段１２ｊは、前記キーワードに応じて、複数の定型文情報５８の中から、文章送信手段１２ｋで送信する定型文情報を選択する処理を行う。
例えば、「はじめまして」のキーワードが含まれるメッセージに対しては、自己紹介文を含む定型文情報５８を選択して、文章送信手段１２ｋにより送信させる。また、「楽しい（楽しかった）」のキーワードが含まれるメッセージや記事等に対しては、「よかったですね」など、その内容に応じた定型文情報５８を選択する。
【００７７】
これによれば、コミュニティページの内容や、受信したメッセージの内容に適合した返信等を、自動的に行うことができる。
【００７８】
（自動検索手段１２ｌ）
自動検索手段１２ｌは、記憶手段に予め記憶された検索キーワード５６で、コミュニティサイトＳ上のコミュニティページを検索し、検索されたコミュニティページへのリンク一覧を表示するページを表示部２ｅに表示させるとともに、そのリンク一覧の各リンクを、コミュニティページ巡回手段１２ｂによって巡回させるよう処理を行う。
なお、検索キーワード５６は、予め健常者のユーザー等が設定しておくよう運用するとよい。
【００７９】
より具体的には、自動検索手段１２ｌは、図１のトップページ１３内の検索のためのテキストボックス３０ａ内に、記憶された検索キーワード５６の文字列を貼り付け、リンク進転手段１２ｆを用いて、トップページ１３内の検索ボタン３０ｂを押下する処理を行わせる。すると、その検索されたコミュニティページへのリンク一覧を表示するページが、表示部２ｅに表示される。このページの形式は、図３に示した「お気に入り一覧ページ」１８と同様、複数のコミュニティページへのリンク一覧を含むものとなる。「お気に入り一覧ページ」１８との相違は、リンク一覧が、お気に入りとして登録されたコミュニティページのリンク一覧であるか、検索されたコミュニティページのリンク一覧であるかの違いである。
【００８０】
そして、自動検索手段１２ｌは、コミュニティページ巡回手段１２ｂを起動して、前述の巡回の処理を、検索結果のリンク一覧が表示されたページに対して実行させることで、検索結果であるリンク一覧に含まれるリンクのリンク先のコミュニティページを、それぞれ表示部２ｅに前記所定時間ずつ表示させることができる。
【００８１】
これによれば、ユーザーの興味のあるキーワードに該当するコミュニティページを、自動的に、日々チェックすることができる。
【００８２】
また、自動検索手段１２ｌと、前述の定型文選択手段１２ｊおよび文章送信手段１２ｋを組み合わせて、以下のように構成すればより好適である。
定型文選択手段１２ｊを、自動検索手段１２ｌで検索した検索キーワードに応じて、定型文情報を選択するよう構成する。例えば自動検索手段１２ｌで検索した検索キーワードが「ダイエット」であった場合、定型文選択手段１２ｊは、ダイエットに関わる、食品や運動等に関する定型文を選択するよう構成しておく。なお、検索キーワードと定型文との対応関係は、予め健常者のユーザー等が設定しておくよう運用するとよい。
【００８３】
そして、文章送信手段１２ｋは、自動検索手段１２ｌで検索されたコミュニティページに記載された記事に対するコメント、またはコミュニティページを作成した利用者に対するメッセージとして、定型文選択手段１２ｊで選択された、検索した検索キーワードと関連する定型文を送信するよう構成する。
【００８４】
これによれば、検索されたコミュニティページに対して、検索キーワードに関連のある定型文を、コメントやメッセージとして送信することができる。
【００８５】
本実施の形態に係る身体障害者用のコミュニティサイト閲覧プログラムによれば、コンピュータの操作が不自由な身体障害者が、特に操作を行うことなく自動的に、なおかつ、コミュニティページへの直接遷移を行わずに（すなわち常にリンクをたどることにより）、コミュニティサイト上のコミュニティページを閲覧することができる。したがって、例えば特許文献１記載の情報表示システムのように、直接遷移が原因でコミュニティサイトからアクセスを拒否されることがなく、また、直接遷移の多用が原因で、コミュニティサイトの運営者から警告を受けたり、コミュニティサイトのＩＤを剥奪されたりすることがない。
【図面の簡単な説明】
【００８６】
【図１】本発明に係る身体障害者用のコミュニティサイト閲覧プログラムを用いた、身体障害者用のコミュニティサイト閲覧システムの構成を示すブロック図である。
【図２】コミュニティサイトのトップページを示す図である。
【図３】コミュニティページへのリンク一覧を表示するページ（お気に入り一覧ページ）を示す図である。
【図４】従来の、ＵＲＬへの直接遷移を行う情報表示システムで用いられるＵＲＬのリストを示す図である。
【符号の説明】
【００８７】
Ｎ  インターネット（ネットワーク）
Ｓ  コミュニティサイト
２  コンピュータ（身体障害者用のコミュニティサイト閲覧システム）
２ａ  制御部
２ｂ  通信部
２ｃ  入力パッド
２ｄ  マウス
２ｅ  表示部
４ｂ  通信制御部
４ｃ  入力パッド制御部
４ｄ  マウス制御部
４ｅ  表示制御部
６  ブラウザ
８  タイマ
１０  時計機能
１２  身体障害者用のコミュニティサイト閲覧プログラム
１２ａ  ログイン／ログアウト手段
１２ｂ  コミュニティページ巡回手段
１２ｃ  リンク先遷移手段
１２ｄ  リンク検出手段
１２ｅ  リンク元復帰手段
１２ｆ  リンク進転手段
１２ｇ  遷移一時停止／再開手段
１２ｈ  自動スクロール手段
１２ｉ  文章取得手段
１２ｊ  定型文選択手段
１２ｋ  文章送信手段
１２ｌ  自動検索手段
１４，１６  リンク
１８  お気に入り一覧ページ（所定ページ）
２１ａ〜２６ａ，２１ｂ〜２６ｂ  リンク（リンク一覧に含まれるリンク）
５０  表示データ
５２  ログイン／ログアウト時刻情報
５３  ＵＲＬ情報
５４  ＩＤ情報
５６  検索キーワード
５８  定型文情報
６０  リンク特定情報
【図１】
2008165478.tif 000003
【図２】
2008165478.tif 000004
【図３】
2008165478.tif 000005
【図４】
2008165478.tif 000006